(57)【要約】      （修正有）【課題】緊急時に備えて水道水を衛生的に貯水し、貯水された水道水を緊急時に簡単に取水する。【解決手段】配水管２に逆止弁３を経て給水ヘッダー４、貯水槽５を順に接続し、貯水槽５に出水管６及び空気源を接続可能な切換弁７を介して一の給水設備への給水管８を接続し、給水ヘッダー４に一の給水設備を除く他の給水設備への給水管８ａ，８ｂ・・・をそれぞれ接続する。通常、切換弁７を第１の位置に切り換え、配水管２の水道水を貯水槽５、出水管６、切換弁７及び給水管８を経て一の給水設備に供給するとともに、給水ヘッダー４及び給水管８ａ，８ｂ・・・を経て他の給水設備にそれぞれ供給する。一方、緊急時において、切換弁７を第２の位置に切り換えるとともに、空気源を切換弁７に接続し、空気源の加圧空気を切換弁７及び出水管６を経て貯水槽５に供給し、貯水槽５の水道水を給水へッダー４及び給水管８ａ．８ｂ・・・を経て他の給水設備に供給する。【選択図】図１
2015090047.tif 000002
【特許請求の範囲】
【請求項１】
配水管を通して供給される水道水を貯水する水道水貯水装置であって、配水管に接続部及び貯水槽を順に接続するとともに、貯水槽に出水管及び空気源と接続可能な切換弁を介して一の給水設備への給水管を接続し、また、接続部に一の給水設備を除く他の給水設備への給水管を接続し、通常、切換弁が第１の位置に切り換えられて空気源の加圧空気の出水管への供給を遮断するとともに、配水管の水道水を、貯水槽、出水管、切換弁及び給水管を経て一の給水設備に供給する一方、接続部及び給水管を経て一の給水設備を除く他の給水設備に供給し、また、緊急時において、切換弁を第２の位置に切り換えるとともに、切換弁と接続された空気源の加圧空気を切換弁及び出水管を経て貯水槽に供給し、貯水槽の水道水を配水管、接続部及び給水管を経て一の給水設備を除く他の給水設備に供給することを特徴とする水道水貯水装置。
【請求項２】
請求項１に記載の水道水貯水装置において、前記貯水槽を複数個設け、最上流側の貯水槽に配水管を接続する一方、最下流側の貯水槽に出水管及び切換弁を介して一の給水設備への給水管を接続し、さらに、隣接する貯水槽において、上流側の貯水槽の出水管を下流側の貯水槽に接続することを特徴とする水道水貯水装置。
【請求項３】
請求項１に記載の水道水貯水装置において、前記貯水槽を複数個設け、各貯水槽に配水管を並列接続する一方、各貯水槽に出水管を並列接続するとともに、並列接続された出水管及び切換弁を介して一の給水設備への給水管を接続することを特徴とする水道水貯水装置。
【請求項４】
請求項１乃至３の何れか一つに記載の水道水貯水装置において、前記貯水槽が設定された傾斜角度で設置され、貯水槽の傾斜方向下方端側底部に配水管が接続され、その上方端側頂部に出水管が接続されることを特徴とする水道水貯水装置。
【請求項５】
請求項１乃至４の何れか一つに記載の水道水貯水装置において、前記接続部が給水ヘッダーであることを特徴とする水道水貯水装置。
【請求項６】
請求項１乃至５の何れか一つに記載の水道水貯水装置において、前記一の給水設備が浴槽あるいはシャワーであることを特徴とする水道水貯水装置。
【請求項７】
請求項１乃至３の何れか一つに記載の水道水貯水装置を用いて水道水を取水する水道水供給方法であって、通常、切換弁を第１の位置に切り換え、水道水を配水管、貯水槽、出水管、切換弁及び給水管を経て一の給水設備に供給するとともに、配水管、接続部及び給水管を経て一の給水設備を除く他の給水設備にそれぞれ供給し、緊急時、切換弁を第２の位置に切り換えるとともに、空気源の加圧空気を切換弁及び出水管を経て貯水槽に供給し、貯水槽の水道水を接続部及び給水管を経て一の給水設備を除く他の給水設備にそれぞれ供給することを特徴とする水道水供給方法。
【発明の詳細な説明】
【技術分野】
【０００１】
この発明は、水道本管を通して供給される水道水を貯水する水道水貯水装置及び貯水装置を用いた水道水供給方法に関するものである。
【背景技術】
【０００２】
従来、水道本管から供給される水道水を貯水し、断水等の非常時において、貯水した水道水を取水して利用することが提案されている（例えば、特許文献１、２参照）。
【０００３】
特許文献１に記載の非常用貯水装置は、埋設された水道管路の途中に設けられ、両端に水道管路が接続された貯水槽と、貯水槽よりも上流側の水道管路に設けられ、上流側への逆流を防ぐ逆止弁と、貯水槽よりも上流側の水道管路に接続された空気供給管とを有し、断水等の非常時において、空気供給管を通して貯水槽に加圧空気を供給することにより、貯水槽に貯水された水道水を下流側の水道管路から吐出し、給水栓を経て水道水を取水するものである。
【０００４】
特許文献２に記載の給水システムは、水道管から逆止弁を経て住宅内に供給される水道水を貯水する貯水槽と、貯水槽の水道水をそれぞれ第１給水栓及び第２給水栓に供給する第１配水管及び第２配水管とを有し、第２給水栓に加圧装置を接続するための接続口を形成し、給水圧が作用しない非常時において、第２給水栓の接続口に加圧装置を接続し、第２配水管を経て貯水槽を加圧し、第１給水栓を非常取水栓として貯水槽の水道水を取水するものである。
【先行技術文献】
【特許文献】
【０００５】
【特許文献１】実用新案登録第３１３８１４７号公報
【特許文献２】特開２０１０−１８５２７２号公報
【発明の概要】
【発明が解決しようとする課題】
【０００６】
しかしながら、特許文献１の発明においては、水道管路の途中に貯水槽を埋設するとともに、貯水槽に加圧空気を供給する空気供給管及び貯水槽の空気を外部に放出する空気抜き管を接続する必要があり、設置場所が限定される他、コストがかさむ欠点がある。
【０００７】
また、特許文献２の発明においては、第２給水栓から第２配水管を通して貯水槽に加圧空気を供給し、第１給水栓で水道水を取水するように設定されている。この場合、貯水槽から水道水を取水する第１給水栓としては、貯水槽の底部に接続された配水管に実質的に限定される欠点がある。また、貯水槽の側壁に給水口が形成されて配水管が接続されているため、最上位の給水口まで水道水の水位が上昇すると、それ以上水道水を貯水することができない。これにより、貯水槽の上部は空気溜まりとなって、多湿の雰囲気に維持されるため、カビや雑菌が繁殖するおそれがある。
【０００８】
本発明は、このような問題点に鑑みてなされたもので、緊急時に備えて水道水を衛生的に貯水し、貯水された水道水を緊急時に簡単に取水することのできる水道水貯水装置及び水道水供給方法を提供するものである。
【課題を解決するための手段】
【０００９】
本発明の水道水貯水装置は、配水管を通して供給される水道水を貯水する水道水貯水装置であって、配水管に接続部及び貯水槽を順に接続するとともに、貯水槽に出水管及び空気源と接続可能な切換弁を介して一の給水設備への給水管を接続し、また、接続部に一の給水設備を除く他の給水設備への給水管を接続し、通常、切換弁が第１の位置に切り換えられて空気源の加圧空気の出水管への供給を遮断するとともに、配水管の水道水を、貯水槽、出水管、切換弁及び給水管を経て一の給水設備に供給する一方、接続部及び給水管を経て一の給水設備を除く他の給水設備に供給し、また、緊急時において、切換弁を第２の位置に切り換えるとともに、切換弁と接続された空気源の加圧空気を切換弁及び出水管を経て貯水槽に供給し、貯水槽の水道水を配水管、接続部及び給水管を経て一の給水設備を除く他の給水設備に供給することを特徴とするものである。
【００１０】
本発明によれば、水道水の給水圧が作用する通常時においては、切換弁は第１の位置に切り換えられており、空気源からの圧力空気の出水管への供給が遮断されるとともに、出水管と給水管とが連通されている。したがって、一の給水設備の給水栓を開放すれば、配水管の水道水を貯水槽、出水管、切換弁、給水管を通して取水することができる。この場合、一の給水設備を使用することによって貯水槽の水道水を取水すれば、取水した水道水に見合う量の水道水が給水圧によって配水管及び接続部を経て貯水槽に供給され、常に満水状態に維持される。また、一の給水設備を除く他の給水設備において、任意の給水栓を開放すれば、配水管の水道水を接続部及び給水管を経て取水することができる。
【００１１】
一方、地震等によって断水し、水道水の給水圧が作用しなくなった緊急時に水道水を必要とする場合は、切換弁を第２の位置に切り換え、給水管と出水管との接続を遮断し、切換弁と接続された空気源からの圧力空気を出水管に供給できるように連通する。そして、空気源の加圧空気を切換弁、出水管を通して貯水槽に供給すれば、貯水槽の水道水に加圧空気の圧力を作用させることができる。その後、一の給水設備を除く他の給水設備において、任意の給水栓を開放すれば、貯水槽の水道水を加圧空気の圧力によって配水管、接続部及び給水管を通して取水することができる。
【００１２】
この結果、通常、貯水槽は一の給水設備の使用によって新しい水道水に置き換えながら満水状態に維持されるため、緊急時に備えて水道水を衛生的に貯水することができる。また、緊急時においては、空気源の加圧空気を切換弁及び出水管を通して貯水槽に供給することによって、貯水された水道水を一の給水設備を除く他の給水設備における任意の給水栓を通して簡単に取水することができる。
【００１３】
本発明において、前記貯水槽を複数個設け、最上流側の貯水槽に配水管を接続する一方、最下流側の貯水槽に出水管及び切換弁を介して一の給水設備への給水管を接続し、さらに、隣接する貯水槽において、上流側の貯水槽の出水管を下流側の貯水槽に接続することが好ましい。これにより、緊急時に備えて複数個の貯水槽によって多量の水道水を衛生的に貯水することができる。
【００１４】
本発明において、前記貯水槽を複数個設け、各貯水槽に配水管を並列接続する一方、各貯水槽に出水管を並列接続するとともに、並列接続された出水管及び切換弁を介して一の給水設備への給水管を接続することが好ましい。これにより、緊急時に備えて複数個の貯水槽によって多量の水道水を衛生的に貯水することができる。
【００１５】
本発明において、前記貯水槽が設定された傾斜角度で設置され、貯水槽の傾斜方向下方端側底部に配水管が接続され、その上方端側頂部に出水管が接続されることが好ましい。これにより、配水管の水道水は、貯水槽の傾斜方向下方端側底部から供給されて徐々に水位を上昇させることから、貯水槽の空気を確実に排気することができる。また、貯水槽の傾斜方向下方端側底部から供給された新たな水道水が、先に貯水された水道水を押し出すように作用し、新しい水道水に速やかに置換させることができ、水道水を貯水槽に滞留させることはない。
【００１６】
本発明において、前記接続部が給水ヘッダーであることが好ましい。これにより、給水へッダーに近接して貯水槽を設置することができ、緊急時において、最短距離の給水設備を利用して貯水槽の水道水を取水することができる。
【００１７】
本発明において、前記一の給水設備が浴槽あるいはシャワーであることが好ましい。これにより、水道水の使用量が相対的に多いため、貯水槽の水道水を短時間に消費して滞留させることなく新しい水道水に置換することができる。また、浴槽やシャワーから飲料水として積極的に取水することはほとんどなく、万が一における影響を最小限に抑えることができる。
【００１８】
本発明の水道水供給方法は、請求項１乃至３の何れか一つに記載の水道水貯水装置を用いて水道水を取水する水道水供給方法であって、通常、切換弁を第１の位置に切り換え、水道水を配水管、貯水槽、出水管、切換弁及び給水管を経て一の給水設備に供給するとともに、配水管、接続部及び給水管を経て一の給水設備を除く他の給水設備にそれぞれ供給し、緊急時、切換弁を第２の位置に切り換えるとともに、空気源の加圧空気を切換弁及び出水管を経て貯水槽に供給し、貯水槽の水道水を接続部及び給水管を経て一の給水設備を除く他の給水設備にそれぞれ供給することを特徴とするものである。
【００１９】
本発明によれば、水道水の給水圧が作用する通常時においては、切換弁を第１の位置に切り換えておくことにより、一の給水設備の給水栓を開放すれば、貯水槽の水道水を出水管、切換弁、給水管を通して取水することができる。この場合、一の給水設備を使用することによって貯水槽の水道水を取水すれば、水道水が給水圧によって配水管を通して貯水槽に供給され、常に満水状態に維持される。また、一の給水設備を除く他の給水設備において、任意の給水栓を開放すれば、配水管の水道水を接続部及び給水管を経て取水することができる。
【００２０】
一方、地震等によって断水し、水道水の給水圧が作用しなくなった緊急時に水道水を必要とする場合は、切換弁を第２の位置に切り換えるとともに、空気源を接続し、その加圧空気を切換弁及び出水管を通して貯水槽に供給すれば、貯水槽に加圧空気の圧力を作用させることができる。これにより、貯水槽の水道水を配水管、接続部及び給水管を通して一の給水設備を除く他の給水設備に供給することができる。ここで、他の給水設備において、任意の給水栓を開放すれば、水道水を取水することができる。
【００２１】
この結果、通常、貯水槽は一の給水設備の使用によって取水に伴って新たな水道水に置き換えながら水道水を満水状態に維持することができるため、緊急時に備えて水道水を衛生的に貯水することができる。また、緊急時においては、空気源の加圧空気を切換弁及び出水管を通して貯水槽に供給することにより、貯水された水道水を一の給水設備を除く他の給水設備から簡単に取水することができる。
【発明の効果】
【００２２】
本発明によれば、緊急時に備えて水道水を衛生的に貯水し、貯水された水道水を緊急時に簡単に取水することができる。
【図面の簡単な説明】
【００２３】
【図１】本発明の水道水貯水装置の一実施形態を示す斜視図である。
【図２】図１の水道水貯水装置の配管系統図である。
【図３】図１の水道水貯水装置の緊急時の配管系統図である。
【図４】本発明の水道水貯水装置の変形例を示す配管系統図である。
【図５】本発明の水道水貯水装置の他の変形例を示す配管系統図である。
【発明を実施するための形態】
【００２４】
以下、本発明の実施の形態を図面に基づいて説明する。
【００２５】
図１乃至図３には、本発明の水道水貯水装置１の一実施形態が示されている。
【００２６】
この水道水貯水装置１は、図示しない水道本管から分岐された配水管２に逆止弁３を介して順に接続された接続部としての給水ヘッダー４及び床下空間等に設置された貯水槽５と、貯水槽５に出水管６及び切換弁７を介して一の給水設備、例えば、浴室の浴槽やシャワーに接続された給水管８と、給水ヘッダー４に一の給水設備を除く他の給水設備にそれぞれ接続された給水管８ａ，８ｂ・・・とから構成され、各給水管８，８ａ，８ｂ・・・の先端には給水栓（図示せず）が接続されている。
【００２７】
ここで、給水へッダー４は、両端が開口されたヘッダー本体４１に軸線方向に間隔をおいて複数個の分岐接続部４２を設けた従来公知の市販品であって、ヘッダー本体４１の各端開口にそれぞれ配水管２がそれぞれ管継手４３を介して接続され、また、各分岐接続部４２に管継手４４を介して給水管８ａ，８ｂ・・・が接続されている。
【００２８】
また、貯水槽５は、設定された管径の管材を設定長さに切断した後、両端部をキャップで閉鎖して形成され、設定角度に傾斜して設置されている。そして、傾斜方向の下方端側底部に給水へッダー４の下流端開口に接続された配水管２が接続され、その上方端側頂部に出水管６が接続されている。これにより、配水管２の水道水は、給水へッダー４を経て貯水槽５に供給される。この際、水道水は、貯水槽５の傾斜方向の下方端側底部から供給されて徐々に水位が上昇するため、貯水槽５の空気を確実に排気することができ、貯水槽５に空気溜まりを発生させることはない。また、一の給水設備において水道水を取水することによって新たな水道水が供給されると、新たな水道水が予め貯水槽５に貯水された水道水を下方側から押し出すように作用して新たな水道水に速やかに置換することから、貯水槽５に水道水が滞留することはない。
【００２９】
なお、この実施形態においては、呼び径１５０ｍｍの水道用硬質ポリ塩化ビニル管を長さ１２００ｍｍに切断して約２０リットルの水道水を貯水するように設定している。このため、一の給水設備が浴室の浴槽やシャワーであり、その１日当たりの水道水使用量を考慮すると、貯水槽５に水道水が１日以上滞留することはほとんど考えられない。また、仮に旅行等によって一定期間不在であったとしても、浴室から飲料水として水道水を積極的に取水することはまずなく、万が一における影響を最小限に抑えることができる。
【００３０】
さらに、切換弁７は、出水管６と接続された接続ポート７ａ、給水管８と接続された接続ポート７ｂ、空気源９と逆止弁１０を介して接続可能な接続ポート７ｃを有し、通常、第１の位置（図２参照）にあって、接続ポート７ａ，７ｂが連通され、接続ポート７ｃが遮断されている。これにより、出水管６と給水管８とが接続され、貯水槽５の水道水を一の給水設備に供給することができる。一方、緊急時において、切換弁７を第２の位置（図３参照）に切り換えると、接続ポート７ａ，７ｃが連通され、接続ポート７ｂが遮断される。これにより、空気源９が逆止弁１０及び切換弁７を介して出水管６と接続され、給水管８が遮断される。
【００３１】
なお、空気源９としては、手動空気ポンプ、例えば、自転車の空気ポンプを挙げることができ、詳細には図示しないが、アダプタを介して逆止弁１０に接続することができる。      
【００３２】
また、逆止弁１０を内蔵する切換弁７を使用すれば、空気源９をアダプタを介して切換弁７の接続ポート７ｃに接続すればよい。
【００３３】
次に、このように構成された水道水貯水装置１による水道水の取水要領について説明する。
【００３４】
まず、通常、切換弁７は、図２に示す第１の位置に切り換えられており、出水管６と給水管８とが連通されている。したがって、水道本管（図示せず）から逆止弁３を経て配水管２に達した水道水は、給水圧により給水ヘッダー４及び貯水槽５に供給され、貯水槽５に貯水されるとともに、貯水槽５から出水管６、切換弁７及び給水管８を経て一の給水設備の給水栓（図示せず）に到達している。同様に、水道水は、給水ヘッダー４及び給水管８ａ，８ｂ・・・を経て一の給水設備を除く他の給水設備の給水栓（図示せず）にそれぞれ到達している。
【００３５】
したがって、一の給水設備において、給水栓を開放すれば、給水栓を通して水道水を取水することができる。同様に、一の給水設備を除く他の給水設備において、給水栓を開放すれば、給水栓を通して水道水を取水することができる。
【００３６】
この場合、一の給水設備において、貯水槽５の水道水が出水管６、切換弁７及び給水管８を通して取水されると、取水された水道水に見合う量だけ水道水が給水圧によって配水管２及び給水へッダー４を経て貯水槽５に供給されるため、貯水槽５は、常に満水状態に維持される。しかも、傾斜された貯水槽５の傾斜方向の下方端側底部から水道水が供給されるため、先に貯水された水道水を新たに供給された水道水が押し出すことから、新たな水道水に速やかに置換し、貯水槽５に予め貯水された水道水が滞留することはない。
【００３７】
また、一の給水設備として、浴室のシャワーや浴槽に利用しているため、相対的に使用量が大きく、比較的短時間に貯水槽５の水道水を入れ換えることができる。
【００３８】
一方、地震等によって断水し、給水圧が作用しなくなった緊急時において、切換弁７を第１の位置から図３に示す第２の位置に切り換えると、接続ポート７ａ，７ｃが連通され、接続ポート７ｂが遮断される。したがって、逆止弁１０に空気源９を接続することにより、空気源９及び出水管６が切換弁７を介して接続され、給水管８が遮断される。この後、空気源９を作動させ、加圧空気を切換弁７及び出水管６を経て貯水槽５に供給すれば、貯水槽５に供給された加圧空気は、傾斜する貯水槽５の上方端側頂部から貯水された水道水に作用する。ここで、貯水槽５の水道水に大気圧を超える一定の圧力が作用すれば、貯水槽５の水道水を下方端側底部より給水へッダー４及び給水管８ａ，８ｂ・・・を経て一の給水設備を除く他の給水設備に供給することができる。すなわち、一の給水設備を除く他の給水設備において、給水栓を開放すれば、貯水槽５の水道水を取水することができる。
【００３９】
このように、常時は水道水を衛生的に貯水しておき、緊急時に空気源９からの加圧空気を貯水槽５に作用させることによって、一の給水設備を除く他の給水設備において簡単に取水することができる。
【００４０】
なお、前述した実施形態においては、接続部として給水へッダー４を例示し、給水へッダー４の分岐接続部４２に給水管８ａ，８ｂ・・・を接続して一の給水設備を除く他の給水設備に水道水を供給する場合を説明したが、必ずしも給水ヘッダー４に限定されず、先分岐工法による接続部であってもかまわない。すなわち、詳細には図示しないが、配水管２の上流側から順に接続部としての管継手（チーズ）を接続し、各管継手に一の給水設備を除く他の給水設備への給水管を接続して水道水を供給するようにしてもよい。
【００４１】
また、前述した実施形態においては、単一の貯水槽５を利用して水道水を貯水する場合を説明したが、複数個の貯水槽５を設置して接続することにより、貯水量を増大させることもできる。例えば、図４に示すように、複数個の貯水槽５を設置し、隣接する貯水槽５，５において、下流側の貯水槽５の下方端側底部に上流側の貯水槽５の上方端側頂部に接続された出水管６の他端を接続する一方、最上流側の貯水槽５の下方端側底部に配水管２を接続するとともに、最下流側の貯水槽５の上方端側頂部に接続された出水管６を切換弁７に接続することにより、最上流側の貯水槽５の水道水から順に取水することができる。また、図５に示すように、複数個の貯水槽５を設置し、それらの貯水槽５の各下方端側底部に配水管２を並列接続する一方、貯水槽５の各上方端側頂部に出水管６を並列接続して切換弁７に接続することにより、複数個の貯水槽５の水道水を同時に取水することができる。
【符号の説明】
【００４２】
１  水道水貯水装置
２  配水管
３，１０  逆止弁
４  給水へッダー
５  貯水槽
６  出水管
７  切換弁
８，８ａ，８ｂ，・・・給水管
９  空気源
【図１】
2015090047.tif 000003
【図２】
2015090047.tif 000004
【図３】
2015090047.tif 000005
【図４】
2015090047.tif 000006
【図５】
2015090047.tif 000007